(57)【要約】【課題】引っかかり防止対策を施したラチェットレンチを提供する。【解決手段】  ラチェットレンチに形成したハンドル頭部の穴形態の収容部内にラチェットを設け、収容部側部に係止切欠を設け、該係止切欠内にカムとカムを押し動かす弾性部材を設置している。弾性部材は２つの端部を有し、一方位置決め端には穿孔形態の位置決め部を設け、他方の挿入設置端には凸状の固定部を設けている。カムはラチェットに対応したラチェット歯を設け、カムの一端は円弧形態の弾接部とし、別の一端は弾性部材に対応する凸柱を設け、カムの歯の背面位置の後側壁に突出して引っかかり防止部を設けて、カムとラチェットが噛んで動かないときに、引っかかり防止部と係止切欠との間の当接によって離脱するようにし、弾性回復力を備えて引っかかりを防止する。【選択図】  図１
2008044090.tif 000002
【特許請求の範囲】
【請求項１】
ハンドルを延設してその一端に頭部を設け、該頭部に収容部を設け、該収容部内面の一側に係止切欠を設け、
前記ハンドルの収納部に回転可能にラチェットを収納し、該ラチェット外周面にラチェット歯を設け、
前記係止切欠内にカムを配置し、該カムに前記ラチェットに対応してラチェット歯を設けて相互に噛み合うようにし、前記カムの一端に弾接部を設け、該カムのラチェット歯の背面位置に後側壁を設け、該後側壁に突出して引っかかり防止部を設け、
前記ハンドルの係止切欠内に弾性部材を設置し、該弾性部材を折り曲げて前記カムと係止切欠のない壁面との間に設け、前記弾性部材の一端を位置決め端とするとともに、別の一端を挿入設置端とし、前記位置決め端をカムに固定し、前記挿入設置端を係止切欠に係合するようにしたことを特徴とするラチェットレンチ。
【請求項２】
前記係止切欠内に配置した弾性部材に対応する壁面上に、弾性部材端部を位置決めする制限部を設けたことを特徴とする請求項１記載のラチェットレンチ。
【請求項３】
前記制限部は、凹穴状に形成されていることを特徴とする請求項２記載のラチェットレンチ。
【請求項４】
前記カムのラチェット歯の背面位置に形成した後側壁は、窪んだ円弧状に形成したことを特徴とする請求項１記載のラチェットレンチ。
【請求項５】
前記カムと弾性部材の対応はＶ字形状をなし、該Ｖ型の一端が前記ラチェットに弾接し、別の一端は前記係止切欠内の制限部に弾接するようにしたことを特徴とする請求項１記載のラチェットレンチ。
【請求項６】
前記弾性部材は、コイル状ばねを彎曲してＶ型に形成し、その一端を位置決め端とし、別の一端を挿入設置端とし、両端とも円形コイル状に形成して成ることを特徴とする請求項１記載のラチェットレンチ。
【請求項７】
ハンドルを備えて該ハンドルの一端を延伸して頭部を設け、該頭部に収容部を設け、該収容部内面の一側に係止切欠を設け、
前記ハンドルの収納部に回転可能にラチェットを設置し、該ラチェットの外周面にラチェット歯を設け、
カムを前記係止切欠内に設置し、該カムに前記ラチェットに対応したラチェット歯を設けて相互に噛み合うようにし、前記カムの一端に弾接部を設け、このカムのラチェット歯の背面位置に後側壁を設け、該後側壁に突出して引っかかり防止部を設け、前記後側壁の別の一端の弾接部に少なくとも二組の当接部を設け、
弾性部材を前記カムと係止切欠内壁面との間に設け、該弾性部材の一端を位置決め端とし別の一端を係合端として、前記位置決め端を前記カムと位置決めし、係合端を前記係合穴と係合するようにしたことを特徴とする引っかかり防止ラチェットレンチ。
【請求項８】
前記係止切欠の弾性部材に対応する壁面に、弾性部材端部を位置決めする制限部を設けて成ることを特徴とする請求項７記載のラチェットレンチ。
【請求項９】
前記制限部は、凹穴状であることを特徴とする請求項７記載のラチェットレンチ。
【請求項１０】
前記後側壁は、窪んだ円弧状に形成したことを特徴とする請求項７記載のラチェットレンチ。
【請求項１１】
前記弾性部材は円柱状として位置決めに役立つようにして成ることを特徴とする請求項７記載のラチェットレンチ。
【請求項１２】
前記弾性部材の一端にカム凸柱を嵌めこむことができる位置決め端を設け、別の一端に前記係止切欠の制限部に挿入できる係合端を設けて成ることを特徴とする請求項７記載のラチェットレンチ。
【請求項１３】
ハンドルを備え、該ハンドルの一端を延伸して頭部を設け、該頭部に収容部を設け、該収容部内面の一側に係止切欠を設け、
ラチェットを回転可動に前記収容部内に設置し、該ラチェットの外周面にラチェット歯を設け、
カムを前記係止切欠内に設置し、前記ラチェットに対応してラチェット歯を設けて相互に噛み合うようにし、該カムの一端に弾接部を設け、該カムのラチェット歯の背面位置に後側壁を設け、該後側壁に突出して引っかかり防止部を設け、
少なくとも２つの弾性部材を備えて前記カムと係止切欠内壁面との間に設け、該弾性部材の一端を位置決め端とし別の一端を係合端とし、前記位置決め端をカムと位置決めさせ、係合端を係止切欠に係合するようにしたことを特徴とするラチェットレンチ。
【請求項１４】
前記カムの一端の凸柱を凸階段状の形態に形成して成ることを特徴とする請求項１３記載のラチェットレンチ。
【請求項１５】
前記係止切欠にカムの凸階段状に対応する凹穴を設置して成ることを特徴とする請求項１３記載のラチェットレンチ。
【請求項１６】
前記弾性部材はコイル状バネ体として位置決めに役立つようにして成ることを特徴とする請求項１３記載のラチェットレンチ。
【請求項１７】
前記弾性部材は、二組を相互に重ね合わせ２つの位置決め端として前記カム凸柱を係合する端部とし、別の一端は係合端として凹階段形状の係合部に設置するようにして成ることを特徴とする請求項１３記載のラチェットレンチ。
【発明の詳細な説明】
【技術分野】
【０００１】
本発明は、ラチェットレンチに係り、特にカムがラチェットと引っかかって失効することを防止したラチェットレンチに関する。
【背景技術】
【０００２】
単一方向に空回りするラチェットレンチは、レンチ本体の一端にラチェット、カム及び弾性体を収容する収容部を設けている。前記カムの歯を設けた背面のカーブと該カムを収容する切欠に対応して、ラチェットと前記カムとが離れることによりカムが前記切欠に張り付くようになっている。そして、前記ラチェットとカムとが引っかかると、ラチェットが回転してもカムは切欠に接触して制動する力を生み出すことができず、レンチの効果を失ってしまう。また、従来のラチェットレンチは、弾性部材のみによって反対方向の弾性推移を行うため、弾性部材に過大な圧力を生じ、該弾性部材の不当な変形をまねき、元の位置に戻ったときに弾性部材はあるべき機能を発揮することができなくなり、引っかかりによって弾性部材を損傷してしまうこともあった。
【発明の開示】
【発明が解決しようとする課題】
【０００３】
本発明は、上述した点に鑑みてなされたもので、カム上の係止切欠端部に引っかかり防止部を設け、ラチェットがカムに対して引っかかる反対方向に動くときに、前記引っかかり防止部と係止切欠との当接によって離脱を起こすようにして引っかかり防止対策を施したラチェットレンチを提供することを目的とする。
【０００４】
また、本発明は、カムの末端に弾性部材を設け、該弾性部材の両端にそれぞれ対応するカム末端の位置決め部、及びレンチ収容部側部の係止切欠に対応して係合部を設け、前記弾性部材によって確実に位置決め及び係止することができるようにしたラチェットレンチを提供することを目的とする。
【課題を解決するための手段】
【０００５】
本発明の一態様によるラチェットレンチは、ハンドルを延設してその一端に頭部を設け、該頭部に収容部を設け、該収容部内面の一側に係止切欠を設け、
前記ハンドルの収納部に回転可能にラチェットを収納し、該ラチェット外周面にラチェット歯を設け、
前記係止切欠内にカムを配置し、該カムに前記ラチェットに対応してラチェット歯を設けて相互に噛み合うようにし、前記カムの一端に弾接部を設け、該カムのラチェット歯の背面位置に後側壁を設け、該後側壁に突出して引っかかり防止部を設け、
前記ハンドルの係止切欠内に弾性部材を設置し、該弾性部材を折り曲げて前記カムと係止切欠のない壁面との間に設け、前記弾性部材の一端を位置決め端とするとともに、別の一端を挿入設置端とし、前記位置決め端をカムに固定し、前記挿入設置端を係止切欠に係合するようにした。
【発明の効果】
【０００６】
本発明のラチェットレンチは、カムがラチェットレンチと反対方向に作動することによってカムの引っかかり防止部と係止切欠内壁面とが当接し、カムを強制的にラチェットから離して確実に引っかかりを防止することができる。
【発明を実施するための最良の形態】
【０００７】
以下、図面を参照して本発明に実施例を説明する。
【実施例】
【０００８】
図１及び図２に示すように、本実施例のラチェットレンチ１０は、ハンドル１１を備え、このハンドル１１の一端に頭部１２を設け、該頭部１２に貫通形態の収容部１３を設けている。この収容部１３の一側には、窪んだ係止切欠１４を形成し、この係止切欠１４と前記収容部１３とを連接している。前記係止切欠１４の内側の一側には制限部１４０を設けている。この制限部１４０は、本実施例では凹穴状としている。さらに、ラチェットレンチ１０は、ラチェット２０を備え、該ラチェット２０は前記ハンドル１１の収容部１３に回転可能に設置されている。前記ラチェット２０の外周面には、ラチェット歯２１を設け、このラチェット２０の中央に駆動孔２２を貫通形成し、該駆動孔２２の内面は多角状の歯を形成してボルト・ナット部材に嵌めて固定できるようにしている。
【０００９】
前記ラチェットレンチ１０はカム３０を有し、このカム３０は前記ハンドル１１の係止切欠１４内に配置されている。このカム３０はラチェット歯３１を有してラチェット２０のラチェット歯２１に対応するようになっている。前記ラチェット歯３１の一端には、円弧状の弾接部３２を設け、別の一端に突出させて凸柱３３を設け、さらに裏面位置に後側壁３５を設け、該後側壁３５は凹円弧状とし、前記凸柱３３に近い位置に突出させて引っかかり防止部３４を設けている。
【００１０】
前記ラチェットレンチ１０は、弾性部材４０を有し、この弾性部材４０は前記ハンドル１１の係止切欠１４内に設置されている。この弾性部材４０は、コイル状に巻き且つV字形に折り曲げて、位置決め端４１及挿入設置端４２を備えている。前記位置決め端４１は、前記カム３０の凸柱３３に対応して穿孔形態の位置決め部４１０を設置し、相互に係合して一体になって動くようにし、別の一端は挿入設置端４２として制限部１４０の凹穴内に挿入されている。
【００１１】
図３に示すように、本実施例のラチェットレンチ１０を回す状態では、前記カム３０が弾性部材４０とラチェット２０のラチェット歯２１とによってラチェット歯３１を動かして弾接するようにし、該ラチェット歯３１の弾接部３２が係止切欠１４内面左側壁面上に弾接して、使用者がラチェットレンチ１０を回すとカム３０の弾接部３２が係止切欠１４の内壁面に当たってラチェット２０に伝わり、該ラチェット２０内のワークまたは工具を動かすことができるようになっている。
【００１２】
図４に示すように、本実施例のラチェットレンチ１０が空転状態では、ラチェットレンチ１０を時計回りに回すと、ラチェット２０がカム３０を係止切欠１４内に押し下げ、ラチェット２０のラチェット歯２１がカム３０のラチェット歯３１と噛合わなくなって、ラチェット２０がカム３０による係合を受けなくなって回転できるようになり、ラチェットレンチ１０がボルト・ナットに対して空回りするようになっている。
【００１３】
図５に示すように、カム３０とラチェット２０が時計回りに回しても相互に噛合っているとき、ラチェットレンチ１０を引き続き回すと、ラチェット２０がカム３０を係止切欠１４内で右向きに動かし弾性部材４０を圧縮し、またカム３０の引っかかり防止部３４が係止切欠１４内面右側壁面上に当接することによって、係止切欠１４が反作用力をカム３０に提供するようにし、カム３０は右に移動し続けることができなくなる。ラチェット２０が継続して回転するとき、カム３０をラチェット２０から離脱させる。ラチェットレンチ１０を正常な状態に戻すと継続して使用することができ、ラチェット２０とカム３０とが強制的に離脱させられると、カム３０が弾性部材４０の圧縮を止め、過度に弾性部材４０を破壊するのを防ぐことができるようになっている。
【００１４】
図６に示すように、本発明の別の実施例では、カム３０Ａは後側壁３５Ａの一側に引っかかり防止部３４Ａを備える他、弾接部３２Ａ箇所に係止切欠１４の壁面に向って少なくとも二組の当接部３２０Ａを設置し、前記カム３０Ａがラチェット２０によって動かされて係止切欠１４の壁面に当接するとき、壁面が自然に二組の支持力Ｆを生じ、この二組の支持力Ｆが平均にカム３０Ａの両端部を支持することによって、カム３０Ａが確実且つ安定してラチェット２０と係合するようになっている。
【００１５】
図７に示すように、係止切欠１４の制限部１４０とカム３０Ａの間の弾性部材４０Ａは、コイルバネとすることもできる。弾性部材４０Ａの両端は、それぞれ位置決め端４１Ａと係合端４２Ａとする。この位置決め端４１Ａの内径箇所にカム３０の凸柱３３Ａを挿入して位置決めできる。前記係合端４２Ａは、係止切欠１４の制限部１４０に挿入して制限するようにし、前記弾性部材４０が確実に係止切欠１４内に位置決めされ、このように位置決めすることによって前記カム３０Ａが確実に弾性推移を行うようになっている。
【００１６】
図８及び図９に示すように、本発明のもう一つの弾性部材の実施例の形態では、２つの弾性部材４０Ｂはハンドル１１の係止切欠１４内に設置し、この２つの弾性部材４０Ｂは２つのコイルバネが内外に重なって一体の形態をなし、同時に位置決め端４１Ｂと係合端４２Ｂを備えている。前記２つの位置決め端４１Ｂは、カム３０の凸柱３３Ｂ箇所に嵌め込んで設置される。前記凸柱３３Ｂは、階段形状に設けて位置決め端４１Ｂを係合しやすくしている。別の一端は、係合端として円形凸状の係合部４２Ｂとし、窪んだ階段形状の制限部１４０Ｂに挿設して位置決めしている。
【００１７】
このようにして、本発明に実施例によるラチェットレンチは、次のような利点を備えている。
【００１８】
１．カムがラチェットレンチと反対方向に作動することによってカムの引っかかり防止部と係止切欠内壁面とが当接し、カムを強制的にラチェットから離して確実に引っかかりを防止することができる。
【００１９】
２．過度の圧縮が発生しないうちに、引っかかり防止部が係止切欠と当接し、カムが過度に弾性部材を圧縮することがなく、弾性部材の機能を万全に維持でき弾性部材を確実に保護することができる。
【００２０】
３．カム３０を二個または二個の弾接部のとすることによって、カム３０から係止切欠１４に向って２本の支持力Ｆを生じてカム３０を安定して支持できる。また、ラチェット２０との間のラチェット歯の噛合がより安定し、がたつきやズレが起こらず、噛合駆動の状態がより確実となり、係合駆動の安定性が高い。
【図面の簡単な説明】
【００２１】
【図１】本発明の一実施例を示す斜視図である。
【図２】本発明の一実施例の分解図である。
【図３】本実施例のラチェットレンチをまわす状態の平面図である。
【図４】本実施例のラチェットレンチの空転状態を示す断面図である。
【図５】本実施例引っかかり防止動作を示す説明図である。
【図６】本発明の第２の実施例を示す平面図である。
【図７】本発明の第２実施例を示す内部略図である。
【図８】本発明の第３実施例を示す平面図である。
【図９】本発明の第３実施例のカムの弾性部材を示す概略図である。
【符号の説明】
【００２２】
１０  ラチェットレンチ
１１  ハンドル
１２  頭部
１３  収容部
１４  係止切欠
１４０  制限部
２０  ラチェット
２１  ラチェット歯
２２  駆動孔
３０、３０Ａ  カム
３１、３１Ａ  ラチェット歯
３２、３２Ａ  弾接端
３２０Ａ  当接部
３３、３３Ａ、３３Ｂ  凸柱
３４、３４Ａ  引っかかり防止部
３５、３５Ａ  後側壁
４０、４０Ａ、４０Ｂ  弾性部材
４１、４１Ａ、４１Ｂ  位置決め端
４２  挿入設置端
４２Ａ、４２Ｂ  係合端
【図１】
2008044090.tif 000003
【図２】
2008044090.tif 000004
【図３】
2008044090.tif 000005
【図４】
2008044090.tif 000006
【図５】
2008044090.tif 000007
【図６】
2008044090.tif 000008
【図７】
2008044090.tif 000009
【図８】
2008044090.tif 000010
【図９】
2008044090.tif 000011